(57)【要約】【課題】引戸のスムーズな移動を持続して確保することができると共に、引戸の移動時や静止時の安定性を高めることができる。【解決手段】対向面である内側面１１のそれぞれに長手方向に沿って凹溝１２が設けられている第１ガイド部材１０と、第１ガイド部材１０の内側面１１・１１間に内側面１１へ両外側面２１を近接して配設され、配設状態で外側面２１の各凹溝１２と対応する位置に凹部２２が設けられている第２ガイド部材２０と、凹溝１２と凹部２２間で転動自在に保持され、凹溝１２に沿って転動するボール３０とを備え、第１ガイド部材１０が鴨居１に設置され、第２ガイド部材２０が引戸２に設置される引戸の案内構造。【選択図】  図１
2005029974.tif 000002
【特許請求の範囲】
【請求項１】
対向面のそれぞれに長手方向に沿って凹溝が設けられている一方のガイド部材と、一方のガイド部材の対向面間に対向面へ両外側面を近接して配設され、該配設状態で外側面の各凹溝と対応する位置に凹部が点在して設けられている他方のガイド部材と、該凹溝と該凹部間で転動自在に保持され、該凹溝に沿って転動するボールとを備え、一方のガイド部材若しくは他方のガイド部材が戸枠に設置され、他方のガイド部材若しくは一方のガイド部材が引戸に設置されることを特徴とする引戸の案内構造。
【請求項２】
対向面のそれぞれに凹部が点在して設けられている一方のガイド部材と、一方のガイド部材の対向面間に対向面へ両外側面を近接して配設され、該配設状態で外側面の各凹部と対応する位置に長手方向に沿って凹溝が設けられている他方のガイド部材と、該凹部と該凹溝間で転動自在に保持され、該凹溝に沿って転動するボールとを備え、一方のガイド部材若しくは他方のガイド部材が戸枠に設置され、他方のガイド部材若しくは一方のガイド部材が引戸に設置されることを特徴とする引戸の案内構造。
【請求項３】
対向面のそれぞれに長手方向に沿って凹溝が設けられている一方のガイド部材と、一方のガイド部材の対向面間に対向面へ両外側面を近接して配設され、該配設状態で外側面の各凹溝と対応する位置に凹部が点在して設けられている他方のガイド部材と、該凹溝と該凹部間で転動自在に保持され、該凹溝に沿って転動するボールとを備え、一方のガイド部材若しくは他方のガイド部材が基体に設置され、他方のガイド部材若しくは一方のガイド部材が案内対象物に設置されることを特徴とする案内構造。
【請求項４】
対向面のそれぞれに凹部が点在して設けられている一方のガイド部材と、一方のガイド部材の対向面間に対向面へ両外側面を近接して配設され、該配設状態で外側面の各凹部と対応する位置に長手方向に沿って凹溝が設けられている他方のガイド部材と、該凹部と該凹溝間で転動自在に保持され、該凹溝に沿って転動するボールとを備え、一方のガイド部材若しくは他方のガイド部材が基体に設置され、他方のガイド部材若しくは一方のガイド部材が案内対象物に設置されることを特徴とする案内構造。
【発明の詳細な説明】
【０００１】
【発明の属する技術分野】
本発明は、主として引戸の開閉を案内する引戸の案内構造に係り、特に案内部分で溝に沿ってボールを転動する引戸の案内構造に関する。
【０００２】
【従来の技術】
案内部分で溝に沿ってボールを転動し、引戸の開閉を案内する引戸の案内構造に関連する公知技術として、引戸の下端に取り付けられるケースに一部を下方に突出してボールを収容し、不特定な方向へ転動自在に保持するボールを敷居に設けられる案内溝に沿って転動し、引戸を移動する構造が特許文献１、２に開示されている。また、特許文献３にも、引戸の下端に取り付けられるボールキャスターが敷居に設けられている案内溝に沿って転動し、引戸を移動する構造が開示されている。
【０００３】
【特許文献１】特開２０００−９６９０６号公報
【特許文献２】特開２０００−１０４４４３号公報
【特許文献３】特開平８−９３３０８号公報
【０００４】
【発明が解決しようとする課題】
ところが、特許文献１〜３のように、引戸の下端に転動するボールを設け、敷居に設けられている溝に沿ってボールが転動する構造では、溝に塵や埃が溜まりやすい。そのため、ボールが転動しにくくなり、引戸のスムーズな移動や開閉が損なわれるという不具合がある。また、案内溝に沿ってボールを転動する構造では、移動する引戸の振れが大きくなり、安定性に欠けるという問題もある。
【０００５】
本発明は上記課題に鑑み提案するものであって、案内部分で溝に沿ってボールが転動し、引戸の開閉を案内する引戸の案内構造に係り、ボールのスムーズな転動や引戸のスムーズな移動を持続して確保することができ、また、引戸の振れを無くし引戸の移動時や静止時の安定性を高めることができる引戸の案内構造を提供することを目的とする。
【０００６】
【課題を解決するための手段】
本発明の引戸の案内構造は、対向面のそれぞれに長手方向に沿って凹溝が設けられている一方のガイド部材と、一方のガイド部材の対向面間に対向面へ両外側面を近接して配設され、該配設状態で外側面の各凹溝と対応する位置に凹部が点在して設けられている他方のガイド部材と、該凹溝と該凹部間で転動自在に保持され、該凹溝に沿って転動するボールとを備え、一方のガイド部材若しくは他方のガイド部材が戸枠に設置され、他方のガイド部材若しくは一方のガイド部材が引戸に設置されることを特徴とする。尚、本発明に於ける点在する凹部は、略半球形に凹設されるもの、略円錐形に凹設されるもの、略円柱形に凹設されるもの等、又、凹溝は、断面視略半円形、断面視略三角形、断面視略方形等とする等、ガイド部材のスムーズな移動を確保可能な形状であれば適宜である。
【０００７】
また、本発明の引戸の案内構造は、対向面のそれぞれに凹部が点在して設けられている一方のガイド部材と、一方のガイド部材の対向面間に対向面へ両外側面を近接して配設され、該配設状態で外側面の各凹部と対応する位置に長手方向に沿って凹溝が設けられている他方のガイド部材と、該凹部と該凹溝間で転動自在に保持され、該凹溝に沿って転動するボールとを備え、一方のガイド部材若しくは他方のガイド部材が戸枠に設置され、他方のガイド部材若しくは一方のガイド部材が引戸に設置されることを特徴とする。
【０００８】
本発明では、凹溝や凹部を対向面と対向面と近接する外側面に設け、凹溝や凹部の開口を上方に向けずに設けることにより、凹溝や凹部に塵や埃が溜まることが無く、ボールのスムーズな転動や引戸のスムーズな移動を持続して確保することができる。更に、他方のガイド部材の外側面の振れを一方のガイド部材の外方で近接する対向面及びボールで制止する、或いは一方のガイド部材の対向面の振れを他方のガイド部材の内方で近接する両外側面及びボールで制止することが可能なので、引戸の振れを無くし引戸の移動時や静止時の安定性を高めることができる。
【０００９】
更に、２つのガイドレールの対応する溝相互間に多数のボールを保持し、ボールをガイドレールの長手方向に沿って移動しながら転動することで、一方のガイドレールを移動するボールスライド機構が、耐熱性に優れ高速移動に耐えられる利点がある一方で非常に高価であるという欠点があるのに対し、本発明はボールが点在して設けられる凹部に定置状態で転動する構成であることから、高速移動のスライドを予定しない案内構造に最適であり、且つ低コストで製造することが可能である。
【００１０】
尚、本発明の案内構造は引戸以外の案内に用いることも可能であり、本発明には、対向面のそれぞれに長手方向に沿って凹溝が設けられている一方のガイド部材と、一方のガイド部材の対向面間に対向面へ両外側面を近接して配設され、該配設状態で外側面の各凹溝と対応する位置に凹部が点在して設けられている他方のガイド部材と、該凹溝と該凹部間で転動自在に保持され、該凹溝に沿って転動するボールとを備え、一方のガイド部材若しくは他方のガイド部材が基体に設置され、他方のガイド部材若しくは一方のガイド部材が案内対象物に設置されることを特徴とする案内構造も含まれる。
【００１１】
また、本発明には、対向面のそれぞれに凹部が点在して設けられている一方のガイド部材と、一方のガイド部材の対向面間に対向面へ両外側面を近接して配設され、該配設状態で外側面の各凹部と対応する位置に長手方向に沿って凹溝が設けられている他方のガイド部材と、該凹部と該凹溝間で転動自在に保持され、該凹溝に沿って転動するボールとを備え、一方のガイド部材若しくは他方のガイド部材が基体に設置され、他方のガイド部材若しくは一方のガイド部材が案内対象物に設置されることを特徴とする案内構造も含まれる。
【００１２】
上記案内構造は適宜の案内対象物の案内構造とすることが可能であり、基体を戸枠、案内対象物を引戸とする上述の引戸の案内構造以外にも、例えば基体を工作機械等の移動テーブルの基台、案内対象物を移動テーブルとする移動テーブルの案内構造等とすることが可能である。
【００１３】
【発明の実施の形態】
以下では、本発明の引戸の案内構造の実施形態について説明する。尚、各実施形態や変形例の部分的な構成は適宜他の実施形態に適用することが可能である。
【００１４】
第１実施形態の引戸の案内構造は、図１〜図３に示すように、鴨居１の下面に取り付けられる雌形の第１ガイド部材１０と、引戸２の上面に取り付けられる雄形の第２ガイド部材２０と、第１ガイド部材１０と第２ガイド部材２０との間に転動自在に保持されるボール３０を有し、ボール３０の転動により第２ガイド部材２０及び引戸２が第１ガイド部材１０の長手方向に沿って移動する構成である。
【００１５】
第１ガイド部材１０は断面略コ字形のレール状であり、その対向面である両側の内側面１１・１１には長手方向に沿って断面略半円形の凹溝１２・１２が形成され、両内側面１１・１１の凹溝１２・１２は同一高さで対応する位置に形成されている。第１ガイド部材１０の上面には長手方向へ所定間隔で螺子孔１３が穿設され、第１ガイド部材１０は螺子孔１３に下方から挿通する螺子３で鴨居１の下面に螺着される。
【００１６】
第２ガイド部材２０は略方形或いは略Ｈ形のブロック状であり、その両側の外側面２１・２１には水平方向に２つ並んで略半球形の凹部２２がそれぞれ形成され、両側の凹部２２・２２は同一高さで対応する位置に形成されている。第２ガイド部材２０の下面には螺子孔２３が穿設され、中空の引戸２の上面に形成されている挿通孔に挿通して螺子孔２３に下方から螺合する螺子３により、第２ガイド部材２０は引戸２の上面に螺着される。
【００１７】
第２ガイド部材２０の幅は、第１ガイド部材１０の内側面１１・１１間よりも若干狭く形成されており、第２ガイド部材２０は第１ガイド部材１０のコ形の内側に略収容されて、第２ガイド部材２０の各外側面２１と第１ガイド部材１０の各内側面１１はそれぞれ近接して配設され、第２ガイド部材２０の凹部２２は第１ガイド部材１０の凹溝１２に対応する位置に配設される。対応する位置に配設された凹部２２と凹溝１２間にはボール３０が転動自在に保持される。ボール３０は、凹部２２と凹溝１２で略形成される断面視の円と略同一の大きさ、或いは前記断面視円より若干小さい程度の大きさとして安定性を確保し、又、ボール３０の材質は、例えば鋼球など引戸２や引戸２に取り付けられる第２ガイド部材２０等の荷重の負荷に耐えられるものであれば適宜である。
【００１８】
前記第２ガイド部材２０を第１ガイド部材１０の内側面１１・１１間に略収容する場合には、第２ガイド部材２０の各凹部２２にそれぞれボール３０を配置して、第２ガイド部材２０の凹部２２と第１ガイド部材１０の凹溝１２の位置を合わせ、凹部２２内の配置したボール３０を第１ガイド部材１０の凹溝１２に沿って転動し、第２ガイド部材２２を第１ガイド部材１０の内側面１１・１１間に配設する。
【００１９】
そして、第１実施形態の引戸の案内構造による引戸２の移動の案内では、引戸２の開閉動作に応じて、引戸２に取り付けられた第２ガイド部材２０の凹部２２に収容されているボール３０が、鴨居１に取り付けられた第１ガイド部材１０の凹溝１２に沿って転動し、引戸２が凹溝１２或いは第１ガイド部材１０の長手方向に沿ってスムーズに移動する。
【００２０】
第１実施形態の引戸の案内構造は、凹部２２が外側面２１に、且つ凹溝１２が内側面１１に設けられ、凹部２２と凹溝１２が開口を側方に向けて設けられるので、凹部２２や凹溝１２に塵や埃が溜まることが無く、ボール３０のスムーズな転動や引戸２のスムーズな移動を持続して確保することができる。更に、第１ガイド部材１０の対向面である内側面１１・１１及びボール３０が、第２ガイド部材２０の外側面２１・２１の横方向への振れを両外側から規制するので、引戸２の振れを無くし、移動時や静止時に引戸２を安定させることができる。
【００２１】
尚、凹部２２や凹溝１２の形状は、上記形状に限定されるものではなく、例えば図４（ａ）に示すように、凹部２２を略円錐形で凹設し、凹溝１２を断面略三角形で形成する構成や、図４（ｂ）に示すように、凹部２２を略円柱形で凹設し、凹溝１２を断面略方形で形成する構成など、ボール３０を転動自在に保持可能な構成であれば適宜であり、上述した凹部２２や凹溝１２の各形状を適宜組み合わせたものとしてもよい。また、ボール３０の大きさは、凹部２２と凹溝１２で略形成される断面視形状の内接円と略同一の大きさ、或いは前記内接円より若干小さい程度の大きさとして安定性を確保する。
【００２２】
また、各内側面１１の凹溝１２は一条形成する構成に限定されず、各内側面１１に複数条の凹溝１２を形成し、これに対応する凹部２２を設ける構成としてもよく、両側の内側面１１・１１で異なる条数の凹溝１２を形成してもよい。また、各内側面１１・１１に凹溝１２がそれぞれ一条ずつの場合には同一高さで対応する位置に両凹溝１２・１２を形成すると、バランスが良くなって良好であるが、両側の内側面１１・１１の各凹溝１２を適宜異なる高さに設けることも可能である。
【００２３】
次に、第２実施形態の引戸の案内構造について図５に基づき説明する。尚、特に言及しない構成は、基本的に第１実施形態と同様である。
【００２４】
第２実施形態の引戸の案内構造に於ける第１ガイド部材１０ａは、第１実施形態に於ける第１ガイド部材１０と同一であり、第１ガイド部材１０ａは断面略コ字形のレール状であり、対向面である両側の内側面１１ａ・１１ａに断面略半円形の凹溝１２ａが形成され、螺子孔１３ａを有する。第２ガイド部材２０ａは、断面略Ｔ字形のブロック状で、側方への突出部分に螺子孔２３ａが形成されている。第２ガイド部材２０ａの他の構成は基本的に第１実施形態の第２ガイド部材２０と同一であり、両側の外側面２１・２１に略半球形の凹部２２がそれぞれ形成されている。
【００２５】
そして、第２実施形態では、第１ガイド部材１０ａが、螺子孔１３に上方から挿通する螺子３で中実の引戸２の上面に螺着され、第２ガイド部材２０ａが、両側方の突出部分に形成されている螺子孔２３ａに下方から挿通する螺子３で鴨居１の下面に螺着される。
【００２６】
また、第２ガイド部材２０ａの両外側面２１ａ・２１ａの幅は、第１ガイド部材１０ａの内側面１１ａ・１１ａ間よりも若干狭く形成されており、両外側面２１ａ・２１ａは対向面である内側面１１ａ・１１ａ間に略収容され、各外側面２１ａと各内側面１１ａはそれぞれ近接して配設される。更に、第２ガイド部材２０ａの凹部２２ａは第１ガイド部材１０ａの凹溝１２ａに対応する位置に配設され、対応する位置に配設された凹部２２ａと凹溝１２ａ間にはボール３０が転動自在に保持されている。
【００２７】
第２実施形態の引戸の案内構造による引戸２の移動の案内では、引戸２の開閉動作に応じて、鴨居１に取り付けられた第２ガイド部材２０ａの凹部２２ａに収容されているボール３０が、移動する引戸２に取り付けられた第１ガイド部材１０ａの凹溝１２ａに沿って転動することにより、引戸２のスムーズな移動を確保することができる。
【００２８】
第２実施形態の引戸の案内構造も、凹部２２ａと凹溝１２ａが開口を側方に向けて設けられるので、凹部２２ａや凹溝１２ａに塵や埃が溜まることが無く、ボール３０のスムーズな転動や引戸２のスムーズな移動を持続して確保することができる。更に、第２ガイド部材２０ａの両側の外側面２１ａ・２１ａ及びボール３０が、第１ガイド部材１０ａの内側面１１ａ・１１ａの横方向への振れを規制するので、引戸２の振れを無くし、移動時や静止時に引戸２を安定させることができる。
【００２９】
次に、第３実施形態の引戸の案内構造を図６及び図７に基づき説明する。第３実施形態に於ける第１ガイド部材１０ｂ、第２ガイド部材２０ｂは第１、第２実施形態とは逆に、内側面１１ｂ・１１ｂの対向面を有する第１ガイド部材１０ｂに凹部１４ｂが形成され、第２ガイド部材２０ｂの両側の外側面２１ｂに凹溝２４ｂが形成される構成である。
【００３０】
即ち、第１ガイド部材１０ｂは断面略コ字形のレール状で、その対向面である両側の内側面１１ｂ・１１ｂには長手方向へ所定間隔を開けて略半球形の凹部１４ｂが形成され、両内側面１１ｂ・１１ｂの凹部１４ｂ・１４ｂは同一高さで対応する位置に形成されており、上面に長手方向へ所定間隔で穿設された螺子孔１３ｂに、下方から挿通する螺子３で鴨居１の下面に螺着される。また、第２ガイド部材２０ｂは断面略方形或いは略Ｈ形のレール状であり、その両側の外側面２１ｂ・２１ｂには、長手方向に沿って断面略半円形の凹溝２４ｂ・２４ｂが同一高さで対応する位置に形成されている。下面に長手方向へ所定間隔で穿設された螺子孔２３ｂに挿通される螺子３により、引戸２の上面に螺着される。尚、第２実施形態と同様に、第１ガイド部材１０ｂを引戸２に取り付け、第２ガイド部材２０ｂを鴨居１に取り付ける構成とすることも可能である。
【００３１】
そして、第１、第２実施形態と同様に、第２ガイド部材２０ｂの両外側面２１ｂ・２１ｂが対向面である内側面１１ｂ・１１ｂ間に略収容されて、各外側面２１ｂと各内側面１１ｂはそれぞれ近接して配設されると共に、凹部１４ｂと凹溝２４ｂが対応する位置に配設され、凹部１４ｂと凹溝２４ｂ間にはボール３０が転動自在に保持される。
【００３２】
上記第３実施形態の引戸の案内構造による引戸２の移動の案内では、引戸２の開閉動作に応じて、鴨居１に取り付けられた第１ガイド部材１０ｂの凹部１４ｂに収容されているボール３０が、移動する引戸２に取り付けられた第２ガイド部材２０ｂの凹溝２４ｂに沿って転動し、引戸２のスムーズな移動を確保することができる。
【００３３】
第３実施形態の引戸の案内構造も、凹部１４ｂや凹溝２４ｂに塵や埃が溜まることが無く、ボール３０のスムーズな転動や引戸２のスムーズな移動を持続して確保することができる。更に、第１ガイド部材１０ｂの対向面である内側面１１ｂ・１１ｂ及びボール３０が、第２ガイド部材２０ｂの外側面２１ｂ・２１ｂの横方向への振れを規制するので、引戸２の振れを無くし、移動時や静止時に引戸２を安定させることができる。
【００３４】
【発明の効果】
本発明の引戸の案内構造は、ガイド部材の凹部と凹溝で転動自在に保持されるボールのスムーズな転動を持続して確保することが可能であり、これにより開閉時の引戸のスムーズな移動を持続して確保することができる効果を奏する。更にガイド部材やボールが引戸の横方向への振れを規制するので、引戸の振れを無くし、引戸の移動時や静止時の安定性を高めることができる。
【図面の簡単な説明】
【図１】第１実施形態の引戸の案内構造を示す縦断面図。
【図２】第１実施形態に於ける第１ガイド部材を示す底面図。
【図３】（ａ）第１実施形態に於ける第２ガイド部材を示す側面図。
（ｂ）第１実施形態に於ける第２ガイド部材を示す平面図。
【図４】（ａ）第１実施形態に於ける第１ガイド部材及び第２ガイド部材の第１変形例を示す縦断面図。
（ｂ）第１実施形態に於ける第１ガイド部材及び第２ガイド部材の第２変形例を示す縦断面図。
【図５】第２実施形態の引戸の案内構造を示す縦断面図。
【図６】第３実施形態の引戸の案内構造に於ける第１ガイド部材を示す底面図。
【図７】（ａ）第３実施形態の引戸の案内構造に於ける第２ガイド部材を示す側面図。
（ａ）第３実施形態の引戸の案内構造に於ける第２ガイド部材を示す平面図。
【符号の説明】
１  鴨居
２  引戸
３  螺子
１０、１０ａ、１０ｂ  第１ガイド部材
１１、１１ａ、１１ｂ  内側面
１２、１２ａ  凹溝
１３、１３ａ、１３ｂ  螺子孔
１４ｂ  凹部
２０、２０ａ、２０ｂ  第２ガイド部材
２１、２１ａ、２１ｂ  側面
２２、２２ａ  凹部
２３、２３ａ、２３ｂ  螺子孔
２４ｂ  凹溝
３０  ボール
【図１】
2005029974.tif 000003
【図２】
2005029974.tif 000004
【図３】
2005029974.tif 000005
【図４】
2005029974.tif 000006
【図５】
2005029974.tif 000007
【図６】
2005029974.tif 000008
【図７】
2005029974.tif 000009